(57)【要約】      （修正有）【課題】体の腰部の前側でオーバーラップさせて前垂れ本体が外着され、着衣の汚れを二重に防止できるとともに、腰部の背後を保温できる上、短尺な紐での結びが簡易となり、結びつける紐と前垂れ本体が上下方向でずれることのない前垂れを提供する。【解決手段】前垂れ本体１と、該本体の表面に設ける一対のポケット２と、上縁両端に延設される紐３とから成る前垂れにおいて、前記前垂れ本体１に所要間隔で前記上縁近傍にそれぞれ縦貫通孔４が縦設され、両縦貫通孔４の内側近傍にそれぞれ対向してループ状の係着金具５ａが配設される。また、前垂れ本体１の裏面に保温裏地６を着脱自在に接合するとともに、該保温裏地６の上縁に両縦貫通孔４にそれぞれ連通するＶ状の連通溝が配設される。このほか、係着金具５ａは取着手段５で着脱自在に取着される。【選択図】図６
0003157342.tif 000002
【実用新案登録請求の範囲】
【請求項１】
所要幅、所要丈の前垂れ本体と、該本体の表面に設ける一対のポケットと、上縁両端に延設される紐とから成る前垂れにおいて、
前記前垂れ本体の幅方向上縁近傍に所要間隔で一対の縦貫通孔が縦設され、両縦貫通孔の内側近傍にそれぞれ対向してループ状の係着金具が配設されて成る前垂れ。
【請求項２】
前記前垂れ本体の裏面に保温裏地を着脱自在に接合するとともに、該保温裏地の上縁に前垂れ本体の縦貫通孔に連通するＶ状の連通溝を配設して成る請求項１記載の前垂れ。
【請求項３】
前記係着金具が取着手段で着脱自在に取着されて成る請求項１又は２記載の前垂れ。
【考案の詳細な説明】
【技術分野】
【０００１】
本考案は、調理時や炊事中に体の腰部に外着される前垂れに関する。
【背景技術】
【０００２】
従来から提案されている各種の前垂れは、実用新案登録第3114836号（特許文献１）に開示されたエプロンのように、前垂れ本体の上縁端部両端に紐を設け、腰部背後で結び外着するものであるため、結び難い上、背後が開いて保温の点で課題がある。また、保温すべく前垂れ本体を長尺幅にして背後でオーバーラップさせて腰部に外着するためには、両端の紐を長尺にしなければ体の前側で結ぶことができず、このような結び方では調理時や炊事中の動作で紐と前垂れ本体とが上下方向にずれて見栄えの悪いものである。
【先行技術文献】
【特許文献】
【０００３】
【特許文献１】実用新案登録第3114836号
【考案の概要】
【考案が解決しようとする課題】
【０００４】
本考案は上記事情に鑑みて、体の腰部の前側でオーバーラップさせて前垂れ本体が外着され、着衣の汚れを二重に防止できるとともに、腰部の背後を保温できる上、短尺な紐での結びが簡易となり、しかも、結びつける紐と前垂れ本体が上下方向でずれることのない前垂れを提供する。
【課題を解決するための手段】
【０００５】
本考案の請求項１に記載した前垂れは、所要幅、所要丈の前垂れ本体と、該本体の表面に設ける一対のポケットと、上縁両端に延設される紐とから成る前垂れにおいて、
前記前垂れ本体の幅方向上縁の左右両脇に縦貫通孔が縦設され、両縦貫通孔の内側近傍にそれぞれ対向してループ状の係着金具が配設されて成る。
請求項２に記載した考案は、請求項１に記載した前垂れにおいて、
前記前垂れ本体の裏面に保温裏地を着脱自在に接合するとともに、該保温裏地の上縁に前垂れ本体の縦貫通孔に連通するＶ状の連通溝を配設して成る。
請求項３に記載した考案は、請求項１又は２に記載した前垂れにおいて、
前記係着金具が取着手段で着脱自在に取着されて成る。
【考案の効果】
【０００６】
本考案の前垂れによれば、前垂れ本体の上縁両端に延設される紐は、腰部の前側で一方は直接他方側の係着金具に係着されて折り返され、他方は裏面から縦貫通孔を通して一方側の係着金具に係着されて折り返され、両者が腰部の前側で結ばれるから、短尺な紐での結びが簡易である上、紐は前垂れ本体からずれることがなく、しっかり外着される。さらに、腰部の後側は前垂れ本体で覆われるので保温上の問題は解消され、前側はオーバーラップ状態で覆われるので、二重に着衣の汚れが防止される、などの効果がある。
【図面の簡単な説明】
【０００７】
【図１】本考案の前垂れＡの表面図。
【図２】前垂れＡの裏面図。
【図３】前垂れＡを腰部に外着したときの体の前側左方に設けた取着手段５の帯体５cの一部を破断した説明図。
【図４】図３のＰ矢視図。
【図５】前垂れＡを腰部に外着したときの体の前側右方に設けた取着手段５の帯体５cの一部をめくった状態の説明図。
【図６】前垂れＡを体の腰部に外着した状態の紐３の一部を省略した斜視図。
【図７】前垂れＡの使用状態の説明図。
【考案を実施するための形態】
【０００８】
前垂れ本体は単体のものから、リバーシブルに使用できる保温裏地を伴うものまで含まれ、前垂れ本体と保温裏地の接合は面状ファスナーやホック若しくはチャックなどが挙げられ、また、係着金具の取着手段は、一端部が前垂れ本体に固着される帯体の両端部に雌雄の面状ファスナーを設けるものから、該帯体の両端部に一対のフックを設けるものなどが挙げられる。
【実施例】
【０００９】
本考案の前垂れＡを実施例により説明すると、図１に示すように、所要幅（1050mm）、所要丈（420mm）の前垂れ本体１と、該本体１の表面に設ける一対のポケット２と、上縁両端に延設される縦幅30mm、長さ600mmの紐３と、各ポケット２の内端の垂直方向延長上（幅方向所要間隔）で上縁近傍にそれぞれ縦設される縦貫通孔４と、各縦貫通孔４の内方側に一端部が固着されループ状の係着金具５aが保持される取着手段５と、図２に示すように、前垂れ本体１の裏面上部に止着される雌面状ファスナー６aと歯合する雄面状ファスナー６bを介して前記裏面に接合される保温裏地６とから成る。
ここで、取着手段５について詳述すると、前垂れ本体１を腰部の前側へ巻き当てた状態において左方の取着手段５は図３に示すように、図視で縦貫通孔４の右方に一端部が固着され該一端部外面に雌面状ファスナー５bが止着された帯体５cにはループ状の係着金具５aがその他端部から挿着され、該他端部の折り返し状の内面に止着された雄面状ファスナー５dが図４に示すように、前記雌面状ファスナー５bに歯合されて係着金具５aが折り重ね状に接合された帯体５cに着脱自在に取り着けられる。
また、前垂れ本体１を腰部の前側へ巻き当てた状態での右方の取着手段５は図５に示すように、左方の取着手段５と同様に、図視で縦貫通孔４の左方に帯体５cの一端部が固着され、該一端部外面に雌面状ファスナー５bが止着された帯体５cにはループ状の係着金具５aがその他端部から挿着され、該他端部の内面に止着された雄面状ファスナー５dが雌面状ファスナー５bに歯合されて前記係着金具５aが折り重ね状に接合された帯体５cに確実に取り着けられる。
前記保温裏地６には前垂れ本体１の両縦貫通孔４と同位置に、それぞれＶ状の連通溝６cが配設される。
【００１０】
このようにして成る前垂れＡは図６に示すように、体の腰部に外着されて前垂れ本体１の両端を前側に巻き回した状態で、図視の右方側の上縁端の紐３が保温裏地６のＶ状の連通溝６cより前垂れ本体１の左方側の縦貫通孔４に挿通され、さらに、同側の係着金具５aに通されて引き出され、一方、右方側の前垂れ本体１の表面に重ねてオーバーラップして巻き回される左方側の前垂れ本体１の上縁端に延設される紐３が直接右方側の取着手段５の係着金具５aに通されて引き出され、両方の紐３、３が腰部の前側で結ばれ、前垂れ本体１に取着手段５の帯体５cを介して一体である係着金具５aに係着されるため、調理時や炊事中の動作で紐３が前垂れ本体１からずれることがなく、確実に腰部に外着され、腰部の背後は前垂れ本体１の裏面に接合された保温裏地６で保温される。
保温裏地６を表面側にして使用する場合は、前垂れ本体１の表面側が裏面となるため、両取着手段５、５の帯体５cに保持された係着金具５aは、それぞれ縦貫通孔４から引き出され、保温裏地６の各連通溝６cからのぞかせて紐３の係着に供されるから、本考案の前垂れＡはリバーシブルな使用ができる。
さらに、前記した保温裏地６は前垂れ本体１に対して、その裏面で一体の雌面状ファスナー６aに歯合する雄面状ファスナー６bを介して着脱自在であるから、この保温裏地６に多様な模様を選択したり、装飾手段を講ずれば該保温裏地６の交換で雰囲気が変わり前垂れの外着が楽しいものとなる。
本実施例の図６で示したものは、外着する側から見て右前で外着した状態であるが、左前の場合には、図視（図６）で左側の前垂れ本体１の上縁端に延設された紐３が保温裏地６の連通溝６cを通して右方側の縦貫通孔４に挿通され、さらに、係着金具５aに通され折り返され、一方、左方側の前垂れ本体１の表面に重ねてオーバーラップして巻き回される右方側の前垂れ本体１の上縁端に延設される紐３が直接左方側の取着手段５の係着金具５aに係着されて引き出され、両方の紐３、３が腰部の前側で結ばれる。
【産業上の利用可能性】
【００１１】
本考案は、調理時や炊事中での腰部着衣の汚れを防ぐことであったり、汚れ防止と腰部の保温を図るものであるから、調理業界や一般家庭における需要が期待されるほか、縫製業界の活性化にも資するものである。
【符号の説明】
【００１２】
１：前垂れ本体
２：ポケット
３：紐
４：縦貫通孔
５：取着手段
５a：係着金具
５b：雌面状ファスナー
５c：帯体
５d：雄面状ファスナー
６：保温裏地
６a：雌面状ファスナー
６b：雄面状ファスナー
６c：連通溝
Ａ：前垂れ
【図１】
0003157342.tif 000003
【図２】
0003157342.tif 000004
【図３】
0003157342.tif 000005
【図４】
0003157342.tif 000006
【図５】
0003157342.tif 000007
【図６】
0003157342.tif 000008
【図７】
0003157342.tif 000009